(57)【要約】【課題】手を乾かす時に、手から吹き飛ばされた水滴を効率よく回収及び排出できるようにしたハンドドライヤーを提供する。【解決手段】駆動部により取入れられた外気を、ダクトを通じてノズルから噴射して手を乾かすハンドドライヤーであって、上部に手乾燥部が形成され、手乾燥部の下側に収納溝が形成された本体と、収納溝にスライディング挿入される水受け、を備えて構成される。そして、より好ましい形態では、手乾燥部にはノズルダクトが備えられ、ノズルダクトには手乾燥部に向かって空気を噴射する複数のノズルが備えられ、ノズルは下側に傾斜した方向に圧縮空気を噴射するように形成される。また、水受けは、前面に第１水受け板、裏面に第２水受け板が備えられて、第１水受け板及び第２水受け板の下側に水受けカップが締結される。【選択図】図２
2011147782.tif 000002
【特許請求の範囲】
【請求項１】
駆動部により取入れられた外気を、ダクトを通じてノズルから噴射して手を乾かすハンドドライヤーであって、
上部に手乾燥部が形成され、前記手乾燥部の下側に収納溝が形成された本体と、
前記収納溝にスライディング挿入される水受け、を備えて構成されることを特徴とするハンドドライヤー。
【請求項２】
前記手乾燥部にはノズルダクトが備えられ、前記ノズルダクトには前記手乾燥部に向かって空気を噴射する複数のノズルが備えられ、前記ノズルは下側に傾斜した方向に圧縮空気を噴射するように形成されることを特徴とする請求項１に記載のハンドドライヤー。
【請求項３】
前記水受けは、前面に第１水受け板が形成され、裏面に第２水受け板が備えられて、前記第１水受け板及び前記第２水受け板の下側に水受けカップが締結されることを特徴とする請求項１に記載のハンドドライヤー。
【発明の詳細な説明】
【技術分野】
【０００１】
本発明は、ハンドドライヤーに関し、より詳細には、使用時に溜まる水を効率よく回収及び排出できるようにしたハンドドライヤーに関する。
【背景技術】
【０００２】
人は清潔を保つために顔や手を洗う。手の場合は、一日中数回以上洗い、手洗いの後にはタオルを使って手の水気を拭き取るようにする。一方、一般のビルや公共施設などのトイレでは、人の必要に応じて手を洗った後、手の水気を取るようにペーパータオルが具備されていることが多い。しかし、このようなペーパータオルは使い捨てであることから、資源の浪費を強いるのみならず、持続的な在庫、補充などメンテナンスを必要とするという短所がある。
【０００３】
そこで、最近では、ペーパータオルの代わりに、公衆トイレの壁面に圧縮空気を用いて手の水気を取るようになったハンドドライヤーが設けられている。ハンドドライヤーは、一般的にモータに結合されているファンを回転させて外気を流入させた後、この外気を所定の温度まで上昇させて排出する熱風装置を本体内に設け、本体に形成された開放口を通じて熱風を外部に排出するように構成されている。
【０００４】
このような構造のハンドドライヤーについては、特許文献１に記載されているが、このハンドドライヤーには次のような問題点を抱えている。
１）手の乾燥時に吹き飛ばされた水滴が、開放部へ排出される空気と共にハンドドライヤーの外部に飛び散る。
２）ハンドドライヤーの内部に、手の乾燥で排出される水滴を溜めるための水受け部が備えられているが、このような水受け部に溜まった水は、長時間経て悪臭を発生させる問題があり、この水受け部に溜まった水を頻繁に確認して捨てるための手間がかかる。
【０００５】
その他、設備内部への水の侵入を防ぐハンドドライヤー〔特許文献２参照〕、特に電源線付近への水の付着を防止することを目的とするハンドドライヤー〔特許文献３参照〕の提案がある。
【先行技術文献】
【特許文献】
【０００６】
【特許文献１】韓国特許登録第５４４４１３号明細書
【特許文献２】特開平０７−１１６０７７号公報
【特許文献３】特開平０７−１１６０７９号公報
【発明の概要】
【発明が解決しようとする課題】
【０００７】
上記問題点を解決すべく本発明の目的は、手を乾かす時に手から吹き飛ばされた水滴を効率よく回収及び排出できるようにしたハンドドライヤーを提供するにある。
【課題を解決するための手段】
【０００８】
上記目的を達成すべくなされた本発明は、駆動部により取入れられた外気を、ダクトを通じてノズルから噴射して手を乾かすハンドドライヤーであって、上部に手乾燥部が形成され、手乾燥部の下側に収納溝が形成された本体と、収納溝にスライディング挿入される水受け、を備えて構成される。そして、より好ましい形態では、手乾燥部にはノズルダクトが備えられ、ノズルダクトには手乾燥部に向かって空気を噴射する複数のノズルが備えられ、ノズルは下側に傾斜した方向に圧縮空気を噴射するように形成される。また、水受けは、前面に第１水受け板、裏面に第２水受け板が備えられて、第１水受け板及び第２水受け板の下側に水受けカップが締結される。
【発明の効果】
【０００９】
上記構成による本発明のハンドドライヤーは、空気がユーザの手に対して上側から下側に噴射されるので、ユーザの手の上の水滴を空気の流れで吹き飛ばしつつ落下させると共に、手の表面に残る水分を乾燥させ、水がハンドドライヤーの外側に飛び散ることなく極めて素早く手を乾燥させることができる。また、水受けを、本体に対して摺動方式で着脱自在に設けているので、水受けに溜まった水を捨てるに容易である。
【図面の簡単な説明】
【００１０】
【図１】本発明の一実施形態に係るハンドドライヤーの斜視図である。
【図２】図１に示されたハンドドライヤーの側断面図である。
【図３】ハンドドライヤーから水受けを取り外した状態の分解斜視図である。
【発明を実施するための形態】
【００１１】
図１は、本発明の一実施形態に係るハンドドライヤーの斜視図であり、図２は図１に示されたハンドドライヤーの側断面図であり、図３はハンドドライヤーから水受けを取り外した状態の分解斜視図である。
【００１２】
本発明に係るハンドドライヤーは、本体１０と、外気を流入する駆動部２０、駆動部２０により取入れられた空気を噴射するノズルダクト３０、ノズルダクト３０と駆動部２０とを連結する連結管４０、及び手を乾燥する際に落ちる水を回収するための水受け５０と、を備えて構成される。
【００１３】
本体１０は、その上側に上下方向に開口された手乾燥部１１が形成される。本実施形態において手乾燥部１１の形状は四角枠状に描いているが、この形状はこれに限らず、上下に開口された任意な形状にすることができる。手乾燥部１１の上側には、水受け５０を固定するための固定突起１１ａが形成され、下側には水受け５０を収納するための収納溝１２が形成される。収納溝１２は、両側が開口されて水受け５０がスライディング挿入される。
【００１４】
手乾燥部１１には、手乾燥部１１に向かって空気を噴射する多数のノズル３１が形成されたノズルダクト３０が備えられ、ノズル３１の上側にはユーザの手が挿入されたことを感知する感知センサ１３が備えられる。
【００１５】
本体１０の上端には、ハンドドライヤーの動作状態を示す表示部６０が備えられる。
【００１６】
本体１０の一側には、ハンドドライヤーの内部に空気を取入れる空気取入口１４が形成される。空気取入口１４には、図１には具体的に示されていないが、ハンドドライヤーの内部に空気を流入するための駆動部２０が結合される。そして、本体１０の内側には、係合突起（図示されていない）が形成されていて、別の振動防止部材を介して駆動部２０が締結される。
【００１７】
本体１０の内側には、プリント基板（ＰＣＢ基板）７０が取り付けられ、このＰＣＢ基板７０には、ハンドドライヤーの駆動を制御するための制御モジュールまたは制御回路が実装される。
【００１８】
駆動部２０は、駆動部ケース２１と、駆動部ケース２１の内部に備えられると共に回転軸にファンが付いているモータ２２、及び駆動部ケース２１の一端に結合されたフィルタ２３を備えて構成される。そして、駆動部ケース２１の内部には、空気の流れの騒音を遮蔽するための防音板２４及び防音フィルタ２５が備えられる。駆動部ケース２１の一側端部に空気排出管２１ａが形成され、その反対側の端部に空気流入管２１ｂが形成される。空気排出管２１ａは、連結管４０が締結される。
【００１９】
ノズルダクト３０は、本体１０に形成された手乾燥部１１の形状と同じ形状に形成される。ノズルダクト３０には、ノズルダクト３０の内から手乾燥部１１の開口に向って下向きに傾斜した多数のノズル３１が形成され、ノズル３１とは反対側の一端に、ノズルダクト３０に空気を流入するための流入口３２が形成される。この流入口３２には連結管４０が結合され、駆動部２０により取入れられた空気がノズルダクト３０に流入される。
【００２０】
ノズルダクト３０は、本体１０に、締結部材で結合されたり、超音波融着などにより結合される。ノズルダクト３０は、駆動部２０により取入れられた空気を圧縮するための圧縮空間を確保するために備えられたものである。
【００２１】
連結管４０は、軟性材質のフレキシブル管で形成される。この連結管４０の一側端部は駆動部２０に締結され、その反対側端部はノズルダクト３０に締結される。これにより、駆動部２０により取入れられた空気が連結管４０を通じてノズルダクト３０に流れ、ノズルダクト３０で圧縮された空気は多数のノズル３１を通じて噴射される。
【００２２】
水受け５０は、上側に開放され、その内側に水を溜めるための水受けカップ５０ａが形成される。水受け５０の正面には、本体１０に保持される第１水受け板５１が形成され、その反対側には手乾燥部１１に形成された固定突起１１ａに係止される第２水受け板５２が形成される。第２水受け板５２の先端には、フック５２ａが形成されて、固定突起１１ａと係合して結合される。
【００２３】
水受け５０は、その下部、すなわち水受けカップ５０ａが本体に形成された収納溝１２にスライディング挿入される。この際、水受け５０の第１水受け板５１は本体１０の側壁に保持され、第２水受け板５２は手乾燥部１１に形成された突起１１ａに締結される。ここで、水受けカップ５０ａは、第１水受け板５１と第２水受け板５２それぞれに着脱自在に締結されるように構成することができる。
【００２４】
このように構成されたハンドドライヤーにおいて、ユーザが手乾燥部に手を挿入すると、センサ１３がこれを検出する。センサ１３による検出信号は、制御モジュールに印加され、制御モジュールはモータ２２を駆動してファンを稼動することによって連結管４０に圧縮空気を送る。連結管４０に供給された圧縮空気は、径の小さいノズルダクト４０でさらに圧縮されて、ノズルダクト３０のノズル３１から外に放出される。これにより、手乾燥部に挿入されたユーザの手には、圧縮空気が噴射される。
【００２５】
特に、ノズル３１は下側に傾斜して形成されているので、圧縮空気はユーザの手に対して上側から下側に噴射されることになる。従って、ユーザの手についていた水は、圧縮空気の流れにのって下降し、下降した水は、本体１０の収納溝１１に備えられた水受け５０に溜まる。
【００２６】
以上の実施形態によれば、ユーザの手に噴射される空気が、ユーザの手に対して上側から下側に噴射されるので、水滴の落下と共にユーザの手に残る水分を乾燥させるので、手の水分は素早く乾燥させることができる。そして、手から落ちた水は、水受け５０に溜まるようになるので、ハンドドライヤーの外側に水が飛び散る問題点がなくなる。また、水受け５０は、本体１０に対して摺動方式で着脱自在に設けられるので、水受け５０に溜まった水を捨てるのが容易である。
【００２７】
以上、本発明の実施形態について説明してきた。しかし、以上の実施形態は、あくまで本発明の望ましい構成の一例を示したものであって、本発明はその技術的思想を逸脱しない範囲内で多様に変形させて実施することができる。
【符号の説明】
【００２８】
１０：本体
１１：手乾燥部
１１ａ：（水受け５０を固定する）固定突起
１２：（水受け５０を収納する）収納溝
１３：（挿入された手を検出する）センサ
１４：空気取入口
２０：駆動部
２１：駆動部ケース
２１ａ：空気排出管
２１ｂ：空気流入管
２２：モータ
２３：フィルタ
２４：防音板
２５：防音フィルタ
３０：ノズルダクト
３１：（空気を噴射する）ノズル
３２：（ノズルダクト３０に空気を流入する）流入口
４０：連結管
５０：水受け
５０ａ：水受けカップ
５１：第１水受け板
５２：第２水受け板
５２ａ：フック
６０：表示部
７０：ＰＣＢ基板
【図１】
2011147782.tif 000003
【図２】
2011147782.tif 000004
【図３】
2011147782.tif 000005